(57)【要約】      （修正有）【課題】水を入れて反応させる水素発生装置を提供する。【解決手段】２つの同じ容器に金属製の撹拌装置を組み込み、金属粉体を投入する。片方に水を入れ、撹拌装置部分を電極代わりとして導線で接続する。【選択図】図７
0003167886.tif 000002
【実用新案登録請求の範囲】
金属の酸化・還元を応用して水を分解し水素を取り出し酸素は金属酸化物として吸収させ、金属の酸化により発生する自由電子で金属酸化物の酸素を還元し放出する仕組み。
【考案の詳細な説明】
【考案の詳細な説明】
考案の詳細な説明
イオン化傾向が小さい金属等又は合金で出来た容器にイオン化傾向大小の差のある金属粉体を均一に混合し投入する。例えば亜鉛・錫等合金の粉体、そしてイオン化傾向の小さい金属粉体は銅合金又は鉄合金等の紛体とし、紛体の粒度は比較的細かい方が良い。それは酸化され易いから。二種類の合金紛体を均一に混合し容器に入れる。
この中には導電性の金属棒を多数立て込む形で投入、この金属棒を導電線でつなぐ。
そしてもう一つ同じ容器を用意し同じ様に二種類の金属粉体を均一に混合した物を投入し、又同じ様に金属棒を多数立て込む。そして各棒を導電線でつなぎ、この導線を上記のもう一つの容器から取り出し導線と結合して置く。この後片方の容器には水を満たし、他方の容器には水を入れない。水の入った容器では水が分解され水素が発生し酸素は酸化金属として吸収される。この時発生する自由電子は投入されている金属棒に伝わり水の入っていない容器に投入されている金属棒に流れ金属粉体に伝わる形となる。この時金属粉体の酸化されている部分と自由電子とが入れ替わり、酸素は遊離し放出される。所謂還元反応が発生したことになる。この事で水の入っている容器では水素が発生するとその分の酸素は金属粉体に酸化と言う形で吸収される。
この行為を交互に行うと水の入っている容器は水素を発生し、水の入っていない容器は酸化金属粉体で満たされる形になるので自由電子が流れ込むと酸化金属粉体は還元され酸素を発生する。所謂可逆反応が可能になる。この仕組みを利用する事により他のエネルギーを使用せず水を分解し、水素の抽出が可能になり、水の循環が出来、クリーンエネルギーが出来る。この時立てて投入してある金属棒は一体化固定し丈夫な物とし、両容器内でゆっくりと攪拌可能な装置として組み込む。反応を促進させる為である。
【図面の簡単な説明】  図面は容器の縦断面で内部の内容物の状態図である。金属粉体内に浸す様に水を満たす。もう一方の容器には水を入れず金属粉体のみとし、水の入っている容器内の反応が終わったら、今度は水の入っていない方に水を満たす。この行為を交互に行う事により、水素と酸素が交互に発生する。
0003167886.tif 000003
【手続補正書】
【提出日】平成20年8月26日(2008.8.26)
【手続補正１】
【補正対象書類名】実用新案登録請求の範囲
【補正対象項目名】全文
【補正方法】変更
【補正の内容】
【実用新案登録請求の範囲】
【請求項１】
金属の酸化・還元を応用して水を分解し水素を取り出し酸素は金属酸化物として吸収させ、金属の酸化により発生する自由電子で金属酸化物の酸素を還元し放出する装置。
【手続補正２】
【補正対象書類名】明細書
【補正対象項目名】全文
【補正方法】変更
【補正の内容】
【考案の詳細な説明】
【考案の詳細な説明】
イオン化傾向が小さい金属等又は合金で出来た容器にイオン化傾向大小の差のある金属粉体を均一に混合し投入する。例えば亜鉛・錫等合金の粉体、そしてイオン化傾向の小さい金属粉体は銅合金又は鉄合金等の紛体とし、紛体の粒度は比較的細かい方が良い。それは酸化され易いから。二種類の合金紛体を均一に混合し容器に入れる。この中には導電性の金属棒を多数立て込む形で投入、この金属棒を導電線でつなぐ。そしてもう一つ同じ容器を用意し同じ様に二種類の金属粉体を均一に混合した物を投入し、又同じ様に金属棒を多数立て込む。そして各棒を導電線でつなぎ、この導線を上記のもう一つの容器から取り出し導線と結合して置く。この後片方の容器には水を満たし、他方の容器には水を入れない。水の入った容器では水が分解され水素が発生し酸素は酸化金属として吸収される。この時発生する自由電子は投入されている金属棒に伝わり水の入っていない容器に投入されている金属棒に流れ金属粉体に伝わる形となる。この時金属粉体の酸化されている部分と自由電子とが入れ替わり、酸素は遊離し放出される。所謂還元反応が発生したことになる。この事で水の入っている容器では水素が発生するとその分の酸素は金属粉体に酸化と言う形で吸収される。この行為を交互に行うと水の入っている容器は水素を発生し、水の入っていない容器は酸化金属粉体で満たされる形になるので自由電子が流れ込むと酸化金属粉体は還元され酸素を発生する。所謂可逆反応が可能になる。この仕組みを利用する事により他のエネルギーを使用せず水を分解し、水素の抽出が可能になり、水の循環が出来、クリーンエネルギーが出来る。この時立てて投入してある金属棒は一体化固定し丈夫な物とし、両容器内でゆっくりと攪拌可能な装置として組み込む。反応を促進させる為である。
【図面の簡単な説明】
【図１】図面は容器の縦断面で内部の内容物の状態図である。金属粉体内に浸す様に水を満たす。もう一方の容器には水を入れず金属粉体のみとし、水の入っている容器内の反応が終わったら、今度は水の入っていない方に水を満たす。この行為を交互に行う事により、水素と酸素が交互に発生する。
【手続補正書】
【提出日】平成20年12月24日(2008.12.24)
【手続補正１】
【補正対象書類名】実用新案登録請求の範囲
【補正対象項目名】全文
【補正方法】変更
【補正の内容】
【実用新案登録請求の範囲】
【請求項１】
金属の酸化・還元を応用して水を分解し水素を取り出し酸素は金属酸化物として吸収させ、金属の酸化により発生する自由電子で金属酸化物の酸素を還元し放出する装置。
〔図面の簡単な説明〕
〔図１〕図面は容器の縦断面で内部の内容物の状態図である。金属粉体内に浸す様に水を満たす。もう一方の容器には水を入れず金属粉体のみとし、水の入っている容器内の反応が終わったら、今度は水の入っていない方に水を満たす。この行為を交互に行う事により、水素と酸素が交互に発生する。
【手続補正書】
【提出日】平成21年4月24日(2009.4.24)
【手続補正１】
【補正対象書類名】図面
【補正の内容】
0003167886.tif 000004
0003167886.tif 000005
0003167886.tif 000006
0003167886.tif 000007
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
金属の酸化・還元を応用し金属のイオン化傾向の大小の差を利用して水を分解し水素を取り出しその時発生する酸素は金属を酸化し吸収されるその時金属は自由電子を発生する。その自由電子を隣に入っている金属酸化物に作用し酸素を分離する。すると金属は今度は水があると又水を分解し水素を発生し酸素は金属酸化物に、この時金属は自由電子を発生している。これを交互に行う事により水素と酸素が交互に発生するのである。
その装置は２個の容器を用意しその中に同じ様にイオン化傾向の大小の差のある金属粉体を均一に混合し８分目ぐらい同量をその容器に入れる。そして一方には水を満たし他方には金属粉体のみにしておく。次に２個容器全体を一体物の銅製の電極を装置したフタを被せる。水の入っている方は金属粉体が酸化され水素を発生し酸素は金属粉体を酸化する。その時自由電子が発生し隣へ導通する。初回の時はまだ金属体であるから自由電子は吸収されない。アース化して消滅する次回にはこちらの容器に水が入り先に水が入っていた方は金属酸化物になる為自由電子は酸素を置換し交互に行うようになる。
最初はアースを取る必要があるが次回からはなくなる。
【手続補正２】
【補正対象書類名】手続補正書
【補正対象項目名】手続補正１
【補正方法】変更
【補正の内容】
【手続補正１】
【補正対象書類名】図面
【補正対象項目名】全図
【補正方法】変更
【補正の内容】
【図１】
0003167886.tif 000008
【図２】
0003167886.tif 000009
【図３】
0003167886.tif 000010
【図４】
0003167886.tif 000011
【図５】
0003167886.tif 000012
【図６】
0003167886.tif 000013
【図７】
0003167886.tif 000014
【図８】
0003167886.tif 000015
【図９】
0003167886.tif 000016
【図１０】
0003167886.tif 000017
【図１１】
0003167886.tif 000018
【手続補正３】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【考案の詳細な説明】
イオン化傾向の小さい金属等又は合金で出来た容器を２個用意しこの２個の容器にイオン化傾向の大小２種類の金属粉体を均一に混合した物を８分目ぐらい入れて一方は水（Ｈ２Ｏ）を満たし他方は粉体のみにしておくと水はイオン化傾向の大きい金属粉体を酸化し自由電子を発生させる。
この自由電子は隣の水の入っていない容器へフタを導体としてながれる。水の入っていない容器には、もうすでに酸化された金属粉体に触れる酸素を手離し金属粉体（イオン化傾向の大きい粉体）は還元される。
今度はこの方の容器に水を入れると還元された金属粉体は酸化し酸素が吸収（酸化金属粉体）され水素が発生する。これを交互に行う事により水素と酸素が交互に発生する。
フタは銅又はその合金製で一体物に導線の役割を果たしている。よって両方の容器には銅又は合金の電極板がフタに一体となって装置してあるので自由電子は水の入っていない方へ流れる。水が入っている方は水を分解し粉体を酸化して水素を発生する。この時水の入っていない方の金属粉体は交互反応後に酸化されている金属粉体となりここに先の自由電子が流れて来るとこの酸化金属粉体の酸素は自由電子と入れ替わり還元される。これを交互に行うことにより水を分解し水素と酸素を発生するのである。
【図面の簡単な説明】
【図１】〜
【図５】は本体容器の図面
【図６】〜
【図９】は本体容器に装置しているフタ部分の各図面である。願書提出時縦断面図を全部描くには小生には少し難しく今回の箱型図面に描いた。この様にどの様な型式にも製作対応可能。問題は容器に入る金属粉体が重要なのであり、今回銅製のフタで（
【図６】〜
【図９】）導体となる
【図５】で水の入っている左側容器にはイオン化傾向の大きい金属粉体が水と反応して水素を放出する、この時当然酸素も発生する。この酸素は金属粉体と酸化反応を生じ酸素は金属粉体を酸化し吸収される。この時金属粉体が自由電子を放出し導体であるフタを導体とし隣の金属粉体（金属酸化物になっている）の入っている本体容器に伝わると還元反応が発生し酸素を放出し金属粉体は還元され金属となる。この時どちらの容器にも均一混合してあるイオン化傾向の小さい金属粉体は反応速度を早める作用の役目になり粒度の差を作っておくのも重要である。それはイオン化傾向の大きい粉体は反応を繰返すうちに消耗するから、フルイにかけ交換を容易にする為である。
【図１】フタつきの容器２個分の平面図
【図２】フタつきの容器２個分正面図
【図３】フタつきの容器２個分左右側図面
【図４】フタつきの容器２個分底面図
【図５】フタを外した平面図で主に内部の状態であり例えば始め左側に水を満たし右側には水は満たさない。こうすると左側には水素が発生し酸素はイオン化傾向の大きい金属粉体を酸化し吸収され自由電子を発生する。自由電子は導体であるフタを流れ右側容器に伝わります。この時すでに金属粉体が酸化し金属粉体となっているイオン化傾向の大きい金属粉体に作用し酸素を置換させ発生させる。反応の最初には接地をする必要があるかも知れない。しかし２回目からは必要がなくなる。
【図６】フタの平面図
【図７】フタの正面図  銅製で出来ていて一体物で導体で２個の容器間を流れる。その為両容器をつなぐため銅製の極板をフタに一体物として加工して置き導通をほどこす。
【図８】フタの左右側面図
【図９】フタの底面図
【図１０】この装置の斜視図
【図１１】装置の斜視図で各部分の説明  〔図１１〕装置の斜視図で番号を附け各部分の説明を簡単にします。〔１〕発生した水素を排出するパイプ  〔２〕発生した酸素を排出するパイプ  〔３〕例えば銅板で出来た一体物のフタ  〔４〕水の入っていない金属粉体のみの容器  〔５〕水と金属粉体が入っている容器  〔６〕イオン化傾向の大きい金属粉体  〔７〕イオン化傾向の小さい金属粉体  〔８〕フタに接着（ロウ付けされている）している電極板である  〔９〕〔８〕に同じ  〔１０〕イオン化傾向の大きい金属粉体  〔１１〕イオン化傾向の小さい金属粉体  〔１２〕〔４〕、〔５〕の容器の仕切り板  注：〔５〕の容器ではイオン化傾向の大きい金属粉体が水と反応し金属粉体の酸化物となり水素を発生する。この時酸素が金属粉体に付、金属原子核の自由電子を融離させ隣の容器へフタの導体を通り流れる。そしてこの自由電子はイオン化傾向の大きい金属粉体（酸化している）に流れ接触し今度は酸素を手離させる還元である。そこで又金属粉体は酸素が取れるから、こちら側に水を入れると水素を発生し酸素は金属粉体に付自由電子を発生させる、酸化である。
【手続補正書】
【提出日】平成22年1月4日(2010.1.4)
【手続補正１】
【補正対象書類名】実用新案登録請求の範囲
【補正対象項目名】全文
【補正方法】変更
【補正の内容】
【実用新案登録請求の範囲】
【請求項１】
１．イオン化傾向の大小の差のある２種類の金属又は合金の粉体を均一に混合する。
２．この混合した金属粉体を２つの同容量容器に同量ずつ入れる。
３．この同量ずつ入った２つの容器の粉体の中に導線（電気を通す導線）を埋め込む様に接続しこの２つの容器を接続しておく。
４．この片方の容器に水を満たし、この水は金属粉体と反応し水は分解され、水素を発生する。
５．水の入った容器内の反応が完了したら、もう一方の容器に（水を入れなかった容器）水を入れる。今度はこちら側で又水と金属粉体が反応して水素を発生する。
６．この両容器へ以上の様に水を交互に入れ水素を発生させる水素発生装置を請求範囲とする。
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
１．イオン化傾向の大小の差のある２種類の金属又は合金の粉体を均一に混合する。
２．この混合した金属粉体を２つの同容量容器に同量ずつ入れる。
３．この同量ずつ入った２つの容器の粉体の中に導線（電気を通す導線）を埋め込む様に接続しこの２つの容器を接続しておく。
４．この片方の容器に水を満たし、この水は金属粉体と反応し水は分解され、水素を発生する。
５．水の入った容器内の反応が完了したら、もう一方の容器に（水を入れなかった容器）水を入れる。今度はこちら側で又水と金属粉体が反応して水素を発生する。
６．この両容器へ以上の様に水を交互に入れ水素を発生させる水素発生装置。
【手続補正書】
【提出日】平成22年8月2日(2010.8.2)
【手続補正１】
【補正対象書類名】実用新案登録請求の範囲
【補正対象項目名】全文
【補正方法】変更
【補正の内容】
【実用新案登録請求の範囲】
【請求項１】
イオン傾向大、小の金属又は合金の粉体を混合したものを２つの金属容器に同量ずつ入れ片方には水を入れもう一方は金属粉体のみにしておく。２つの容器は導線で接続しておく。両容器にはゆっくりと撹拌の出来る金属棒を４本ぐらい持つ一体物を装置しておき、ゆっくり撹拌する。すると水の入っている方は水と金属粉体と反応し水は分解され水素と酸素にわかれ酸素はイオン化傾向の大きい金属（又は合金）粉体を酸化させ水素は単独になりＨ２となって吸収又は回収する事が出来る。この時容器は完全密閉にすること。そしてこの時自由電子が発生し導線を通り水の入っていない容器に流れ金属粉体のイオン化傾向の大きい金属で酸化しているものに反応し還元反応となり酸素を発生させる。この金属粉体は又酸化をし、水を分解する。よって水の入っていた方が全部反応完了したら、今度は、水を入れなかった方の容器に水を入れるとまた反応が始まり、水素を回収する事が可能になる。
ある意味の可逆反応となり交互に水を入れ反応させ水素を回収する。水素発生装置である。故に金属のイオン化傾向の差を利用して水を分解し水素及び酸素を回収する装置を請求範囲とする。
【手続補正２】
【補正対象書類名】図面
【補正対象項目名】全図
【補正方法】変更
【補正の内容】
【図１】
0003167886.tif 000019
【図２】
0003167886.tif 000020
【図３】
0003167886.tif 000021
【図４】
0003167886.tif 000022
【図５】
0003167886.tif 000023
【手続補正３】
【補正対象書類名】明細書
【補正対象項目名】全文
【補正方法】変更
【補正の内容】
【考案の詳細な説明】
【考案の詳細な説明】
イオン化傾向の小さい金属等又は合金で出来た容器を２個用意しこの２個の容器にイオン化傾向の大小２種類の金属粉体を均一に混合した物を８分目ぐらい入れて一方は水（Ｈ２Ｏ）を満たし他方は粉体のみにしておくと水はイオン化傾向の大きい金属粉体を酸化し自由電子を発生させる。
この自由電子は隣の水の入っていない容器へフタを導体としてながれる。水の入っていない容器には、もうすでに酸化された金属粉体に触れる酸素を手離し金属粉体（イオン化傾向の大きい粉体）は還元される。
今度はこの方の容器に水を入れると還元された金属粉体は酸化し酸素が吸収（酸化金属粉体）され水素が発生する。これを交互に行う事により水素と酸素が交互に発生する。
フタは銅又はその合金製で一体物に導線の役割を果たしている。よって両方の容器には銅又は合金の電極板がフタに一体となって装置してあるので自由電子は水の入っていない方へ流れる。水が入っている方は水を分解し粉体を酸化して水素を発生する。この時水の入っていない方の金属粉体は交互反応後に酸化されている金属粉体となりここに先の自由電子が流れて来るとこの酸化金属粉体の酸素は自由電子と入れ替わり還元される。これを交互に行うことにより水を分解し水素と酸素を発生するのである。
【図面の簡単な説明】
【図１】左右の容器の内部を正面から見たもの、そして導線で接続してある。左右は同じもので金属製（例えばステンレス容器）  金属棒が４本一体物になっていて撹拌可能なものを内臓した図
【図２】この左右の容器にイオン化傾向大、小、の金属（又は合金）粉体を混合して投入したものの図。
【図３】左の容器には水を入れ右の容器には水が入っていない所の図
【図４】上下図は上が水を投入しない斜視図。下側図は水が投入してある斜視図。
【図５】図４の説明  １．容器（例えばステンレス製容器）２台  ２．金属粉体をゆっくり撹拌するハンドル及びその装置  ３．水の入っていない方の容器で酸素を放出するノズル。４．イオン化傾向の小さい金属又は合金の粉体で粒度は大きい方。５．イオン化傾向の大きい金属又は合金の粉体で粒度は小さい方。６．４と５を混合する金属棒で２と一体となっている。７．水を入れる時の投入口。８．水素の排出するノズル口。９．水。１０．導線で上と下の容器を接続してあるところ
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
２つの同じ容器に金属製の撹拌装置を組み込み、そこにイオン化傾向で大小の差がある金属粉体をよく混合して投入し片方には水を入れ少しずつ撹拌して、もう一方には水を入れず撹拌せず放置の状態に置き２台の容器で撹拌装置部分を電極代わりとして導線で接続すると水とイオン化傾向の大きい金属粉体と反応し水素を発生させる。これを交互に水を入れ反応させる水素発生装置。
【手続補正２】
【補正対象書類名】図面
【補正対象項目名】全図
【補正方法】変更
【補正の内容】
0003167886.tif 000024
0003167886.tif 000025
0003167886.tif 000026
【手続補正書】
【提出日】平成23年2月28日(2011.2.28)
【手続補正１】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
0003167886.tif 000027
【図２】
0003167886.tif 000028
【図３】
0003167886.tif 000029
【図４】
0003167886.tif 000030
【図５】
0003167886.tif 000031
【図６】
0003167886.tif 000032
【図７】
0003167886.tif 000033
【手続補正２】
【補正対象書類名】手続補正書
【補正対象項目名】手続補正３
【補正方法】追加
【補正の内容】
【手続補正３】
【補正対象書類名】明細書
【補正対象項目名】全文
【補正方法】変更
【補正の内容】
【考案の詳細な説明】
【考案の詳細な説明】
イオン化傾向の小さい金属又は合金で出来た容器を２個用意しこの２個の容器にイオン化傾向の大小２種類の金属粉体を均一に混合した物を８分目ぐらい入れて一方は水（Ｈ２Ｏ）を満たし他方は粉体のみにしておくと水はイオン化傾向の大きい金属粉体を酸化し自由電子を発生させる。
この自由電子は隣の水の入っていない容器へフタを導体としてつながれる。水の入っていない容器には、もうすでに酸化された金属粉体に触れる酸素を手離し金属粉体（イオン化傾向の大きい粉体）は還元される。
今度はこの方の容器に水を入れると還元された金属粉体は酸化し酸素が吸収（酸化金属粉体）され水素が発生する。これを交互に行う事により水素と酸素が交互に発生する。
フタは銅又はその合金製で一体物に導線の役割を果たしている。よって両方の容器には銅又は合金の電極板がフタに一体となって装置してあるので自由電子は水の入っていない方へ流れる。水が入っている方は水を分解し粉体を酸化して水素を発生する。この時水の入っていない方の金属粉体は交互反応後に酸化されている金属粉体となりここに先の自由電子が流れて来るとこの酸化金属粉体の酸素は自由電子と入れ替わり還元される。これを交互に行うことにより水を分解し水素と酸素を発生するのである。
【図面の簡単な説明】
【図１】  正面図
【図２】  正面図  内部
【図３】  平面図
【図４】  左右側面図
【図５】  左右側面図  内部
【図６】  底面図
【図７】  水の入っている正面図の内部を示した図〔図７〕’と水の入っていない正面図の内部を示した図〔図８〕’を導線で結合した正面図  〔図７〕’正面図内部で水が入っている方。〔図８〕’正面図内部で水が入っていない方。〔図７〕’と〔図８〕’とは導線又は電極板で接続されている。＊この容器はドラム缶に撹拌装置を組み込んだものを想定すると理解がはっきりする。